(57)【特許請求の範囲】
【請求項１】
洗米排水の貯留槽と、この貯留槽から送給された洗米排水を濾過するための濾過手段と、処理済の洗米排水等を受容する受槽とを具え、
前記濾過手段は、並列に複数設置され、その一端には洗米排水の受水口を、他端には濾過残渣物のための開閉可能な排出口を有して柔軟性濾材で形成されることにより内部への洗米排水の入出に応じて膨張・収縮するフィルタ−と、濾過時には前記排出口を閉鎖し、フィルタ−内の濾過残渣物の排出時には前記排出口を開放するとともに前記フィルタ−を押圧した状態でフィルタ−の一端から他端まで走査して前記排出口から濾過残渣物を捻出するクリ−ニング手段と、このクリ−ニング手段の走査駆動手段と、で構成したことを特徴とする洗米排水の処理装置。
【請求項２】
請求項１において、前記フィルタ−は、柔軟性濾材とこれに積層被覆される柔軟性網状体の２層構造としたことを特徴とする洗米排水の処理装置。
【請求項３】
請求項２において、柔軟性濾材は編物布で構成するとともに、フィルタ−は複数の細管部とこれらを互いに結ぶ連通部とを具えたことを特徴とする洗米排水の処理装置。
【請求項４】
請求項３において、前記複数の細管部は各々の側部を順次連結され簾状に並設しフィルタ−を構成したことを特徴とする洗米排水の処理装置。
【請求項５】
請求項４において、前記フィルタ−は長手の筒状本体部と、この筒状本体部の長手全方向に所定間隔でミシン縫着による区画線で形成される小区画部とを具え、前記小区画部により複数の細管部を構成したことを特徴とする洗米排水の処理装置。
【請求項６】
請求項５において、前記編物布はメリヤス布であることを特徴とする洗米排水の処理装置。
【請求項７】
前記クリ−ニング手段は、前記複数の各フィルタ−を間にして対向する外枠ロ−ラと内枠ロ−ラとをそれぞれフィルタ−と同数具えるとともに、前記複数の外枠ロ−ラを所定間隔で固定する外枠体と、前記複数の内枠ロ−ラを保持して前記外枠体内で移動し、各内枠ロ−ラを各外枠ロ−ラに接離させる内枠体と、を具えて構成したことを特徴とする請求項１乃至６いずれか記載の洗米排水の処理装置。
【発明の詳細な説明】
【０００１】
【産業上の利用分野】
本願発明は、洗米機等から排出される洗米排水の処理装置に関し、詳しくは、多数のデンプン粒子を含有する洗米排水を公共下水道その他に流出させ得る程度まで濾過するための洗米排水の処理装置に関するものである。
【０００２】
【発明の背景】
洗米機等から排出される洗米排水、すなわちいわゆる米の研ぎ汁は通常で３００〜２２０００ｐｐｍという極めて高いＢＯＤ（生物学的酸素要求量）を示し、このままでは公共下水道あるいは一般河川への放出基準をクリヤ−することができない。
このため、従来は洗米排水を遠心分離機、沈殿濾過装置あるいは生物的処理装置で排水中の多数のデンプン粒子等を除去せざるを得なかった。
しかしながら、これら従来技術に係る装置は、大型かつ高価とならざるを得ず、保守管理あるいはランニングコストの面でも種々の問題があった。
【０００３】
そこで本願発明者は、上記従来の問題点を解消するために、先に特願平９−１０２９８４号において「米研ぎ汁排水の濾過方法」を新規に開示した。
この「米研ぎ汁排水の濾過方法」は、長手の袋状に形成されたフィルタ−により米研ぎ汁排水を濾過する技術であり、上記従来の問題点の解決に資するところが大きいが、本願発明は前記先願発明にさらに改良を加えた新規な洗米排水の処理技術を提供しようとするものである。
【０００４】
【発明の概要】
本願発明に係る洗米排水の処理装置は、洗米排水の貯留槽と、この貯留槽から送給された洗米排水を濾過するための濾過手段と、処理済の洗米排水等を受容する受槽とを具え、
前記濾過手段を、並列に複数設置され、その一端には洗米排水の受水口を、他端には濾過残渣物のための開閉可能な排出口を有して柔軟性濾材で形成されることにより内部への洗米排水の入出に応じて膨張・収縮するフィルタ−と、前記排出口の開閉動作をなすとともに、前記フィルタ−を押圧しつつフィルタ−の一端から他端まで走査してフィルタ−内の濾過残渣物を前記排出口から捻出するクリ−ニング手段と、走査駆動手段と、で構成することにより上記従来の問題点を解消しようとするものである。
【０００５】
上記において、前記フィルタ−は、柔軟性濾材とこれに積層被覆される柔軟性網状体の２層構造とすることがある。
また、上記において、柔軟性濾材は編物布で構成するとともに、フィルタ−は複数の細管部とこれらを互いに結ぶ連通部とを具えて、フィルタ−の濾過効率および堅牢性の向上を図ることがある。
さらに、上記において、前記複数の細管部は各々の側部を順次連結され簾状に並設しフィルタ−を構成することがある。
さらにまた、上記において、前記フィルタ−は長手の筒状本体部と、この筒状本体部の長手全方向に所定間隔でミシン縫着による区画線で形成される小区画部とを具え、前記小区画部により複数の細管部を構成することがある。
また、上記において前記編物布はメリヤス布で構成し、濾過性能の向上とコストの低減を実現する。
【０００６】
そして、上記において前記クリ−ニング手段は、前記複数の各フィルタ−を間にして対向する外枠ロ−ラと内枠ロ−ラとをそれぞれフィルタ−と同数具えるとともに、前記複数の外枠ロ−ラを所定間隔で固定する外枠体と、前記複数の内枠ロ−ラを保持して前記外枠体内で移動し、各内枠ロ−ラを各外枠ロ−ラに接離させる内枠体と、を具えて構成することによりフィルタ−における濾過残渣物の除去を容易にし処理装置の運転効率を高めるとともに装置の操作性を容易にする。
【０００７】
【発明の実施形態】
本願発明の実施形態の１例は次のとおりである。
濾過手段におけるフィルタ−を構成する濾材は、特願平９−１０２９８４号に開示したものを使用するが、例えば規則正しい編み目が密に形成されたメリヤス布により長手の方形袋状あるいは筒状本体部を形成し、この本体部にさらにミシン縫着により筒状の小区画部を本体部の全長手方向に複数形成して細管部を構成し、このよう細管部が簾状に連なって形成されるフィルタ−を魚網のような柔軟な網状体で被覆してフィルタ−を２層構造とする。各細管部間には、洗米排水を導通するための連通部を形成する。
メリヤス布が濾材として好適であるのは、布地が比較的厚く、したがって編み目で構成される孔部が一定の深さを有するからである。使用するフィルタ−の一端には洗米排水の受水口を形成し、他端には開口部を全辺にわたり形成し濾過残渣物の排出口とし、濾過時には開口部を閉じ、濾過残渣物の除去時には開口部を開とできるようにする。
このフィルタ−を適宜な支持材に多数互いに並立するように前記受水口側を上端に前記開口部側を下端にして吊下し、前記開口部を閉じて受水口から洗米排水を注入して濾過動作をなす。濾過動作の終了後、前記開口部を開放して濾過残渣物の除去を行う。
【０００８】
フィルタ−の開口部の開閉および濾過残渣物の除去は、クリ−ニング手段により行う。すなわち、クリ−ニング手段は、上下が開口している箱状の外枠体と、この外枠体内に格納され同様に上下が開口している箱状の内枠体とを具備している。そして、外枠体にはフィルタ−と同数の外枠ロ−ラが、また内枠体にもフィルタ−と同数の内枠ロ−ラが取り付けられる。内枠体は、内枠ロ−ラを保持して外枠体内を所定距離だけ往復動できるように構成される。
外枠ロ−ラと内枠ロ−ラとは互いにフィルタ−を間に相対向していて、内枠体の所定位置への移動により外枠ロ−ラと内枠ロ−ラは接合してフィルタ−を挟持することになる。また、内枠体の原位置への復帰により外枠ロ−ラと内枠ロ−ラとは互いに離開し、フィルタ−の挟持は開放される。すなわち、これらの一連の動作によりフィルタ−の一端の排出口は開閉される。
外枠ロ−ラは内枠体を貫通して外枠体に取り付けられるが、内枠体の外枠体内で往復動作を可能にするために、外枠ロ−ラは内枠体に設けた長穴を貫通する構成とする。
【０００９】
クリ−ニング手段の各ロ−ラは、常時はフィルタ−の一端の排出口を挟持している。すなわち、洗米排水の濾過時はフィルタ−の排出口を閉じており、濾過作業が終了してフィルタ−内の濾過残渣物の除去時には各ロ−ラによる排出口の挟持を開放にし、次いでクリ−ニング手段は走査駆動手段によりフィルタ−の他端に移動する。
この位置で内枠体が移動して各ロ−ラは再びフィルタ−を挟持する。そして、その挟持した状態で、クリ−ニング手段は走査駆動手段により再び原位置に移動する。この動作を順次繰り返すことにより、濾過残渣物はフィルタ−内から捻出される。濾過残渣物の排出後、クリ−ニング手段は、原位置すなわち各ロ−ラがフィルタ−を挟持し、その排出口を閉鎖する位置に移動して再び濾過作業が可能な状態となる。
【００１０】
【発明の実施例】
図面に基ずいて本願発明の１実施例を説明する。
図１は、本願に係る洗米排水の処理装置の概略構成を示す図である。
図において、１は洗米機から排出された洗米排水の貯留槽、２は排水の汲み上げポンプ、３は汲み上げた排水の受槽、４はポンプ２と受槽３との間に配設されたパイプである。５は匡体６に収納される濾過手段７と前記受槽３とを連結するパイプ、８はパイプ５に介装された流量調節弁である。
【００１１】
前記匡体６の傾斜底部には切り替え弁９が取り付けられていて、循環パイプ１０と排出パイプ１１が連結され、循環パイプ１０は前記貯留槽１に、また排出パイプ１１は公共下水道または必要に応じて２次処理装置１２に連結されている。
【００１２】
図２は、前記濾過手段７の正面図で、図において７１、７１、．．は支持軸７２、７２．．に吊下されたフィルタ−であり、該実施例では所定間隔に並設された１０本の支持軸にフィルタ−７１が一対ずつ、すなわち総計２０のフィルタ−が吊下されている。７３は前記パイプ５と連結されている分配パイプで、これに連結される不図示の分岐パイプを介して洗米排水をフィルタ−７１の上端に形成された受水口に注入する。なお、各分岐パイプには電磁弁が設けられていて周知の動作によりフィルタ−７１への洗米排水の供給等をコントロ−ルするようになっている。
【００１３】
７４は、後述の各ロ−ラ７５ａ、７６ａ等を具えたクリ−ニング手段であり、洗米排水の濾過作業時には、図示のようにフィルタ−７１の下端に位置して各ロ−ラの動作によりフィルタ−７１の下端を挟持してその排出口を閉鎖し、濾過作業が終了してフィルタ−内部の濾過残渣物の除去時にはフィルタ−７１の上端部に移動した後、ロ−ラによりフィルタ−７１を押圧しつつ下降してフィルタ−内部の残渣物を前記匡体６の底部に捻出する。
クリ−ニング手段７４のこのような上下動は、走査駆動手段によりなされる。
すなわち、図において、９１は回転駆動源、９１ａ，９１ａ，９１ｂ，９１ｂはそれぞれ一対をなすプ−リで回転駆動源９１とプ−リ９１ａ，９１ａとの間にはベルト９２、９２が張設されており、プ−リ９１ａ，９１ａとプ−リ９１ｂ，９１ｂとの間にはベルト９３、９３が張設されている。これら回転駆動源、各プ−リおよび各ベルトにより走査駆動手段が構成されている。
ベルト９３、９３はそれぞれ前記クリ−ニング手段７４に係合していて、回転駆動源の所定方向への回転によりクリ−ニング手段７４は上昇または下降することになる。
【００１４】
図３は、クリ−ニング手段７４の構成を示す斜視図でり、クリ−ニング手段７４は、外枠体７５、内枠体７６、外枠ロ−ラ７５ａ、内枠ロ−ラ７６ａ、ネジ７７、７７から構成されている。外枠体７５は図示のように上下両面が開口した箱状をなしており、図２に示す前記フィルタ−７１と同数の外枠ロ−ラ７５ａが所定間隔で架設されている。また、外枠体７５内に収納されて同様に箱状の内枠体７６には内枠ロ−ラ７６ａが所定間隔でフィルタ−７１と同数架設されている。外枠ロ−ラ７５ａの両端部は内枠体７６側面の長穴７６ｂを介して外枠体７５の側面に固定されている。一方、内枠体７６の側面の丸穴に固定された内枠ロ−ラ７６ａの両端部は外枠体７５の側面に形成された長穴７５ｂに係合されている。
このように、図４に示すように内枠体７６は、前記各ロ−ラにより外枠体７５と係止され、しかも図示の矢符方向に移動可能となる。７７、７７は、外枠体７５と内枠体７６に係合するネジで、このネジ７７、７７の所定方向への回転により、内枠体７６はその保持する内枠ロ−ラ７６ａ，７６ａ．．とともに図示の矢符方向に往復動して、これにより内枠ロ−ラ７６ａ，７６ａはそれぞれ外枠ロ−ラ７５ａ，７５ａ．．に対して接合、離開をなすことになる。
【００１５】
図５、図６は、フィルタ−７１、このフィルタ−７１を吊下する支持軸７２、前記クリ−ニング手段７４の各ロ−ラの関連構成を示す図である。
図５において、７２は前述した図１における支持軸で、連結された一対のフィルタ−７１、７１が掛け渡されている。クリ−ニング手段はフィルタ−７１、７１の下端に位置していて、外枠ロ−ラ７５ａ，７５ａと内枠ロ−ラ７６ａ、７６ａはそれぞれ接合状態にあり、フィルタ−７１、７１の下端部を挟持している。
すなわち、図示しない内枠体７６は前記ネジ７７、７７の回転により内枠ロ−ラが外枠ロ−ラに密接する位置にセットされている。この状態で、フィルタ−７１、７１の下端の排出口７１ｄは閉となり、フィツタ−７１内へ注入された洗米排水の濾過作業がなされることになる。
【００１６】
濾過作業が終了して、フィルタ−内の濾過残渣物を除去する場合は、図６に示すようにネジ７７を前記とは逆に回転させて内枠体７６を逆方向に移動させて内枠ロ−ラ７６ａと外枠ロ−ラ７５ａとの接合を解除してフィルタ−７１の排出口７１ｄを開放し、内部の濾過残渣物を放出するとともに、クリ−ニング手段７４を前記走査駆動手段によりフィルタ−７１の上端部に上昇させる。
この位置で、再びネジ７７を回転して内枠体７６をその保持する内枠ロ−ラ７６ａが外枠ロ−ラ７５ａに接合する位置に移動させる。これにより両ロ−ラはフィルタ−７１を間にして互いに圧接する。この状態でクリ−ニング手段を下降させてフィルタ−内に付着残留した濾過残渣物をフィルタ−の排出口方向に捻出する。このように、各ロ−ラがフィルタ−を挟持した状態でクリ−ニング手段を必要回数フィルタ−上を走査させて残渣物を完全に排出する。このようにして、図１に示す前記匡体６の底部に溜った残渣物は適宜の吸引手段により外部に排出する。
【００１７】
さて、図７は該実施例に用いたフィルタ−を示す斜視図である。この実施例ではフィルタ−には編物布であるメリヤス布が使用されている。
図に示すように、メリヤス布で、800mm × 1700mm の筒状体を形成し、この筒状体を二つ折にして前記支持軸７２に係止し一対のフィルタ−として使用する。
図１に示した処理装置では、このような筒状体を１０対使用して、総計２０枚のフィルタ−がセットされていて、濾過面積は５０ｍ2 に達している。
フィルタ−７１には、ミシン縫着による区画線７１ａにより、複数の小区画部７１ｂ，７１ｂを形成し、この小区画部により細管部を構成する。各細管部の間には排水が流通できるように複数の連通部７１ｃ，７１ｃを形成する。
このようにして、フィルタ−は複数の細管部が連設された簾状に構成され、フィルタ−の剛性を高めることができる。さらに、フィルタ−を複数の小区画部（細管部）により構成することにより、フィルタ−内の残渣物を効率よく除去することができる。すなわち、フィルタ−全体を単一の袋体で構成し、これに排水を満たして濾過作業をなすと、フィルタ−内のすべての排水を濾過できる以前に目詰まりを生じてしまう。この対策として、フィルタ−内への排水量を減じることが考えられるが、結果は同様となる。すなわち、排水量を半分に減じてもその排水はフィルタ−内の下半部に位置することになるからである。
本願発明のように、小区画部を複数設けた場合フィルタ−内に収納される排水量は小区画の形成されていない場合に比較してその量は少なくなるが、濾過は小区画におけるすべての濾過壁によりなされる。これに対して、小区画を有するフィルタ−の全収容量と同量の排水を小区画の形成されていないフィルタ−に投入した場合、排水は下方に位置してしまい、排水の充填されないフィルタ−部では濾過がなされないことになる。このように、本願発明に係るフィルタ−は単位排水量に対して濾過面積を極めて大きくし、濾過効率を向上させることができる。
なお、洗米排水の充填時のフィルタ−の剛性を高めるために図７の（ｂ）（図７（ａ）のＡ−Ａ線断面図）に示すようにフィルタ−をメリヤス布とその外側に貼付した網状体７１ｄとの２層構造としてもよい。この実施例では網状体７１ｅして適宜の網目径を有する魚網を使用した。
【００１８】
ところで、洗米排水は通常、洗米機に使用される１ｍｍ程度の網目を通過してくるから排水に含まれる粒子は１０００ミクロン以下と考えられる。したがって、フィルタ−の網目はこの最大粒子が通過しない程度の網目以下にする。
しかしながら、フィルタ−の網目を前記最大粒子より若干小径に設定した場合、この径より小さい粒子は通過してしまうことになる。そこで、フィルタ−としてメリヤス布のような編物布を使用することになる。このような編物布は通常の織物布に比較してやや太番手の糸により編まれているから、布自体に厚みがあり、したがって形成される編目もにも厚みができる。すなわち、編目はいわばトンネル状に形成されていると考えることができる。そして、このトンネルを通過するとき、まず大径のデンプン粒子等が通過時に編目の繊維に係合し、順次、編目近傍に堆積する。この状態で小径の粒子は通過するが、濾過作業の繰り返しにより、編目には先に係止された粒子の集合により、いわば新たな濾過壁が形成されることになる。この状態で、小径の粒子も順次濾過されるものと考えられる。
【００１９】
上述の実施例において、濾過作業をなすには、まずクリ−ニング手段をフィルタ−の下端に位置させてフィルタ−の排出口を閉じ、フィルタ−内に洗米排水を導入する、濾過が進行し排水が所定の清浄度に達するまで切り替え弁９により排水の循環を貯留槽１、ポンプ２、受槽３、フィルタ−７１、貯留槽１で構成される濾過回路に設定する。濾過が終了した際は、切り替え弁９により排水を公共下水道あるいは２次処理装置１２に流出させる。
濾過作業により、フィルタ−内に残渣物が滞留したときは上述の走査により残渣物をフィルタ−内から除去する。
【００２０】
【発明の効果】
以上説明したように、本願発明は洗米排水の処理装置を、洗米排水の貯留槽と、この貯留槽から送給された洗米排水を濾過するための濾過手段と、処理済の洗米排水等を受容する受槽とを具え、
前記濾過手段は、並列に複数設置され、その一端には洗米排水の受水口を、他端には濾過残渣物のための開閉可能な排出口を有して柔軟性濾材で形成されることにより内部への洗米排水の入出に応じて膨張・収縮するフィルタ−と、濾過時には前記排出口を閉鎖し、フィルタ−内の濾過残渣物の排出時には前記排出口を開放するとともに前記フィルタ−を押圧した状態でフィルタ−の一端から他端まで走査して前記排出口から濾過残渣物を捻出するクリ−ニング手段と、このクリ−ニング手段の走査駆動手段と、で構成したので、小型で、フィルタ−の目詰まり対策等に優れ、使い勝手が良好で、しかも製造コスト、ランニングコストともに低廉な洗米排水の処理装置を実現できる。
【図面の簡単な説明】
【図１】本願に係る洗米排水の処理装置の１実施例を示す正面図である。
【図２】濾過手段の１実施例を示す図である。
【図３】クリ−ニング手段の１実施例を示す斜視図である。
【図４】図３のクリ−ニング手段の横断面図である。
【図５】、
【図６】図２に示す濾過手段におけるフィルタ−等の関連構成およびクリ−ニング手段の各ロ−ラの動作を示す斜視図である。
【図７】フィルタの１実施例を示す図である。
【符号の説明】
１．．．貯留槽、
３．．．受槽、
７．．．濾過手段
７１．．フィルタ−
７２．．．支持軸
７４．．クリ−ニング手段
７５．．．．外枠体
７５ａ．．．外枠ロ−ラ
７６．．．．内枠体
７６ａ．．．内枠ロ−ラ
９１．．．．走査駆動手段の駆動源
【図１】
0003934245.tif 000002
【図２】
0003934245.tif 000003
【図３】
0003934245.tif 000004
【図４】
0003934245.tif 000005
【図５】
0003934245.tif 000006
【図６】
0003934245.tif 000007
【図７】
0003934245.tif 000008